(57)【要約】【課題】  呼の追い出し処理のタイムラグによる送信信号の衝突を解決する。【解決手段】  ベースバンド信号処理を行うベースバンド信号処理部２、３と、ベースバンド信号処理部２、３を制御するベースバンド制御部と、を備え、ベースバンド制御部３は、ベースバンド信号処理部２からベースバンド信号処理部３に呼処理を移し替えるときに、ベースバンド信号処理部３に下り若しくは上り送信を無効とし且つ送信電力としてベースバンド信号処理部２における直前の値を用いて呼を設定ステップと、ベースバンド信号処理部３における前記呼に対する上り同期確保を監視するステップと、前記同期確保を検出したときにベースバンド信号処理部２に対し上り若しくは下り送信を無効とし、ベースバンド信号処理部３に対し上り若しくは下り送信を有効とする切替えを同一タイミングで行うように指示するステップと、を処理することを特徴とする無線基地局装置。【選択図】  図１
2005073052.tif 000002
【特許請求の範囲】
【請求項１】
ベースバンド信号処理を行う第１及び第２のベースバンド信号処理部と、
前記第１及び第２のベースバンド信号処理部を制御するベースバンド制御部と、
ベースバンド制御部で生成した信号を送信すると共に移動局からの信号を受信する無線部と、前記第１及び第２のベースバンド信号処理部と有線伝送路とを接続する有線伝送路インタフェース部とを備える無線基地局装置において、
前記ベースバンド制御部は、前記第１のベースバンド信号処理部から前記第２のベースバンド信号処理部に呼処理を移し替えるときに、第２のベースバンド信号処理部に下り若しくは上り送信を無効とし且つ送信電力として第１のベースバンド信号処理部における直前の値を用いて呼を設定ステップと、第２のベースバンド信号処理部における前記呼に対する上り同期確保を監視するステップと、前記同期確保を検出したときに第１のベースバンド信号処理部に対し上り若しくは下り送信を無効とし、第２のベースバンド信号処理部に対し上り若しくは下り送信を有効とする切替えを同一タイミングで行うように指示するステップと、を処理することを特徴とする無線基地局装置。
【発明の詳細な説明】
【技術分野】
【０００１】
本発明は無線基地局装置に関し、特に２重もしくは多重化されたハードウェア構成により処理を行う無線基地局装置に関する。
【背景技術】
【０００２】
図１は従来の超小容量ＣＤＭＡ無線基地局装置のハードウェア構成を示すブロック図である。従来の無線基地局装置は、無線部１と、ベースバンド信号処理部２及び３と、ベースバンド制御部４と、有線伝送路インタフェース部５とを備えている。
無線部１は、デュプレクサ、送信増幅器、送受信部（いずれも図示しない）から構成される。無線部１は、アンテナで受信した無線信号をデュプレクサで分波して送受信部に導き、増幅及び周波数変換したのち直交復調してベースバンド信号（アナログＩ／Ｑ信号）を出力する。また、ベースバンド信号処理部２、３から入力されたベースバンド信号（アナログ信号）を周波数変換し、送信増幅器（例えば１０Ｗ）にて増幅しデュプレクサを介してアンテナへ送出する。
【０００３】
ベースバンド信号処理部２及び３は、ほぼ同じ構成であり、無線部１から入力されたベースバンド信号をＡ／Ｄ変換し、チャネルごとのチップ同期後、各フィンガをレイク合成し、復調、誤り訂正複号（例えば畳込み複号）、データの多重分離などを行う。そして最終的にＡＴＭセルに変換して有線伝送路インターフェース部５に出力する。ダウンリンクも上記とほぼ逆の手順を辿り、直交変調後にＤ／Ａ変換して無線部１に出力する。
【０００４】
ベースバンド制御部４は、ＣＰＵを備え、有線伝送路を介して上位装置から送られてくる呼制御信号（マクロ）を受信し、呼に応じたリソースの設定や解除などの管理を行う。
有線伝送路インターフェス５は、ＡＡＬ（ATM Adaptation Layer）Ｔｙｐｅ２および５の組立て分解機能、ＳＳＣＯＰ（Service Specific Connection Oriented Protocol）機能などを有し、ベースバンド信号処理部２，３と有線伝送路で接続された上位装置（図示しない）との間でＡＴＭ信号の送受を行う。
【０００５】
次に、図１に示した従来の無線基地局装置の呼制御を説明する。呼の設定は、まず上位装置からの制御信号に従い、ベースバンド制御部４がベースバンド信号処理部２、３の一方にリソースの割り当てをし、パラメータ（下り送信電力など）の初期値を与える。次にベースバンド信号処理部は、無線状態（受信ＳＩＲ値など）をベースバンド制御部４に報告すると共に、設定された呼の処理を開始する。ベースバンド制御部４はこれらのパラメータ、無線状態を保持する。
その後呼を設定されたベースバンド信号処理部（仮にベースバンド信号処理部２とする）に何らかの障害が発生した場合、ベースバンド制御部４は保持していたパラメータをもう一方のベースバンド信号処理部３に設定する。障害に関わらずこのようにして呼を別のベースバンド信号処理部に移すことを呼の追い出しと呼ぶ。
【０００６】
上記のほか、本発明に関連する無線基地局装置が知られる（例えば、特許文献１及び２参照。）。
【０００７】
【特許文献１】特開２００３‐００８５０２号公報
【特許文献２】特開２００２‐０６４８４５号公報
【発明の開示】
【発明が解決しようとする課題】
【０００８】
上述した従来の無線基地局装置では、ベースバンド信号処理部２及び３に重複して呼が設定されると、ベースバンド信号処理部２、３の両方から下り送信信号を出力することとなり、その呼の送信電力増加すなわち他のユーザにとって干渉が増大する。同様に上り信号も１つの呼に対し両方のベースバンド信号処理部で処理してしまうので、有線伝送路へ出力される信号が衝突するという問題があった。
また、追い出し先の呼の設定後に追い出し元の呼を解放する場合、追い出し先の呼の送信電力値は、追い出し元における呼設定当初の送信電力値に基づいた値に設定されるため、追い出し直前の追い出し元における電力値とはずれている。そのため下り信号を受信する移動局側では急激な受信電力変動が発生し信号品質が劣化するという問題があった。
【０００９】
本発明は上記問題点に鑑み、信号の劣化を起こすことなく呼の追い出しを行う無線基地局装置を提供することを目的とする。  
【課題を解決するための手段】
【００１０】
上記目的を実現するため本発明の無線基地局装置は、ベースバンド信号処理を行う第１及び第２のベースバンド信号処理部と、前記第１及び第２のベースバンド信号処理部を制御するベースバンド制御部と、ベースバンド制御部で生成した信号を送信すると共に移動局からの信号を受信する無線部と、前記第１及び第２のベースバンド信号処理部と有線伝送路とを接続する有線伝送路インタフェース部とを備え、前記ベースバンド制御部は、前記第１のベースバンド信号処理部から前記第２のベースバンド信号処理部に呼処理を移し替えるときに、第２のベースバンド信号処理部に下り若しくは上り送信を無効とし且つ送信電力として第１のベースバンド信号処理部における直前の値を用いて呼を設定ステップと、第２のベースバンド信号処理部における前記呼に対する上り同期確保を監視するステップと、前記同期確保を検出したときに第１のベースバンド信号処理部に対し上り若しくは下り送信を無効とし、第２のベースバンド信号処理部に対し上り若しくは下り送信を有効とする切替えを同一タイミングで行うように指示するステップと、を処理する。
【発明の効果】
【００１１】
本発明の無線基地局装置によれば、無線及び有線伝送路へ送出される信号の劣化を起こすことなく呼の追い出しを行うことができる。
【発明を実施するための最良の形態】
【００１２】
図１は本実施形態の超小容量ＣＤＭＡ無線基地局装置のハードウェア構成図である。ハードウェア構成上は従来の無線基地局装置と大きな違いはない。本実施形態においてベースバンド信号処理部２及び３は、ＤＳＰ（Digital Signal Processor）によりパスサーチのような信号処理のほぼ全てが実現されている。また、ベースバンド制御部４とベースバンド信号処理部２及び３の間では、ユーザデータはＡＴＭを用いて伝送するが、ベースバンド制御部で終端された制御信号や呼設定のためのパラメータなどは、Ｅｔｈｅｒｎｅｔ（登録商標）やその他の汎用高速シリアル通信による別の伝送路により伝送する。またベースバンド制御部４は、ベースバンド信号処理部２及び３に割り当てた各呼処理を監視し、無線状況などの定期的な読み込み或いはベースバンド信号処理部からの報告の受信を行い、最新の状況を記憶する。
【００１３】
図２は、本実施形態における呼の追い出しの流れ図である。以後図２に基づいて、予めベースバンド信号処理部２に設定されている呼をベースバンド信号処理部３に追い出す処理を説明する。まずステップ１にて、ベースバンド制御部４はベースバンド信号処理部３に呼を設定する。このとき、拡散符号、フレームオフセット、初期送信電力、トランスポートフォーマット等のタイミングや電力やフォーマット等に関する各種パラメータ、及び下り送信状態ＯＦＦ、上り送信状態ＯＦＦを設定する。この時設定する初期送信電力として、ベースバンド信号処理部２における最新の電力値を用いる。この状態のベースバンド信号処理部３は当該設定された呼に対し処理結果を出力しないことを除いて通信のための通常動作（同期確保など）を行う。
【００１４】
次にステップ２では、ベースバンド信号処理部３は当該呼に対応する上りチャネルの同期を行う。設定されたパラメータによりスロットタイミングがわかっているので、サーチウインドウの範囲で同期を検出すればよく、比較的容易に行うことができる。また、ベースバンド制御部４は、当該呼の同期確保を監視する。
【００１５】
同期確保が検出されると、ステップ３としてベースバンド制御部４は、ベースバンド信号処理部３に対して当該呼の上り及び下り送信状態のＯＮを指示し、ベースバンド信号処理部２に対しては当該呼の上り及び下り送信状態のＯＦＦを指示する。
上述の３ステップの処理はいずれもベースバンド制御部４からの指示により行われる。ベースバンド制御部４は、各呼処理を無線フレーム（フレーム長＝１０ｍｓ）を単位として行っており、呼設定後の次の無線フレームにおいて同期監視動作を行い、同期確保が検出されれば更に次の無線フレームにおいて送信状態が切替えられるように指示を出す。
【００１６】
図３は、本実施形態における上り及び下り送信状態の切替え動作のタイミング図である。図３のようにベースバンド信号処理部２及び３の上り及び下り送信状態は略同時に切替えられる。略同時とは、少なくとも無線フレーム長以下の時間を意味する。切替えは当該呼に対応するデータの送受信を行ってない状態（例えばパイロット区間）において行うのが望ましいが、同期が取れているので無線フレームの任意の場所でも行うこともできる。また、送信状態の切替えは上りと下りを別々に行っても良い。
【００１７】
本実施形態によれば、送信状態のみ切替える指示をベースバンド制御部４からベースバンド信号処理部２及び３に与えるようにしたので、呼の設定解放の指示で送信状態も切替える方法に比べ、ベースバンド信号処理部における切替え動作が簡素化及び高速化され、切替えタイミングを高精度に一致させることができる。これにより呼の追い出し処理のタイムラグによる送信信号の衝突を防ぐことができる。ベースバンド信号処理部２及び３における送信状態の切替えは、例えば、ＤＳＰで呼ごとに処理される複数の信号処理プログラムの内、ベースバンド信号処理部からの最終的な出力をつかさどるプログラムを停止或いは割り込みなどによりパラメータを読み込ませることで容易に行うことができ、ＤＳＰのマシンサイクル（動作クロック）レベルの時間精度を有する。また、各ベースバンド信号処理部における送信状態切替えのタイミング合わせは、ベースバンド制御部からの指示タイミングを合わせることで行っても良いが、予め各ベースバンド信号処理部にて送信状態を切替える位置をフレーム（若しくはスロット）の特定の位置に定めておき、両ベースバンド信号処理部でフレーム同期が取れていることを利用して、検出したフレームタイミングに基づいて送信状態切替えのタイミングを一致させても良い。
【００１８】
また、図２に示した呼の追い出し処理において、追い出し元のベースバンド信号処理部２は、ステップ３における上り及び下り送信状態ＯＦＦの指示を契機に当該呼に対するリソースを解放する動作を続けて行っても良く、ステップ３の後でベースバンド制御部４が追い出しの成功を確認した後に、呼の解放を別途指示してもよい。また、ベースバンド制御部４は、少なくともステップ３の前に不定期的な処理によりベースバンド信号処理部２から送信電力値を読み出すか或いは報告を受けて、この最新の値に基づいて追い出し先のベースバンド制御部３に送信電力値を設定しても良く、この処理をステップ１より後に行う場合、ステップ１で設定した呼に対し送信電力値を再設定する指示を与える。
【図面の簡単な説明】
【００１９】
【図１】従来の無線基地局装置のハードウェア構成図
【図２】実施形態における呼の追い出しの流れ図
【図３】実施形態における上り及び下り送信状態の切替え動作のタイミング図
【符号の説明】
【００２０】
１  無線部、２〜３  ベースバンド信号処理部、４  ベースバンド制御部、５  有線伝送路インタフェース部
【図１】
2005073052.tif 000003
【図２】
2005073052.tif 000004
【図３】
2005073052.tif 000005